(57)【特許請求の範囲】
【請求項１】
上水および圧縮空気を貯留する圧力槽と、圧力槽外に配置された空気槽と、圧力槽と空気槽とに接続して設けられ、第１の開閉弁を介装した適当な大径の連通管と、空気槽の底部に接続して設けられ、第２の開閉弁を介装した排水管と、空気槽の上部に接続して設けられ、逆止弁を介装した吸気管と、前記第１の開閉弁および第２の開閉弁の開閉を制御する制御手段とを備え、前記連通管は、液相と気相とが背反する方向に流動可能な大きさの口径をなすことを特徴とする自動給水装置。
【発明の詳細な説明】
【０００１】
【産業上の利用分野】
本発明は、ビル等の上水の配水管路に設けられる自動給水装置に関する。
【０００２】
【従来の技術】
ビル等の上水の配水管路に設けられる自動給水装置には、圧力槽を介装するものがある。従来の圧力槽周りの管路構成は、たとえば図２に開示するようなものである。図２において、１は上水および圧縮空気を貯留する圧力槽であり、２は圧力槽１外に配置された空気槽である。圧力槽１と空気槽２との間には、圧力槽１の下部と空気槽２の上部とを連結する第１の配管３が電磁弁４または電動ボール弁を介装して設けられ、圧力槽１の上部と空気槽２の上部とを連結する第２の配管５が逆止弁６を介装して設けられている。空気槽２の底部には電磁弁７または電動ボール弁を介装した排水管８が設けられ、第２の配管５には逆止弁６より空気槽側の位置に、逆止弁９を介装した吸気管１０が接続している。第１の配管３、第２の配管５、排水管８、吸気管１０はそれぞれ、１５Ａ程度の管径を有している。
【０００３】
このような管路構成において、図示を省略した電気的制御手段により電磁弁７を閉じるとともに電磁弁４を開くと、圧力槽１内の上水が第１の配管３を通じて空気槽２へ注入され、これに伴い空気槽２内の空気圧が上昇して、空気槽２内の空気が第２の配管５を通じて圧力槽１へ送り込まれる。空気槽２内の空気が圧力槽１から注入された上水によって置換された後に、電気的制御手段により電磁弁４を閉じるとともに電磁弁７を開くと、吸気管１０より装置外部の空気が吸入される状態において、空気槽２内の上水が排水管８を通じて排出される。
【０００４】
排水が終了した後に電磁弁７を閉じれば、空気槽２の内部に空気が貯留され、圧力槽１の内部に、図示を省略した供給管より供給された上水および圧縮空気が貯留された元の状態となる。
【０００５】
【発明が解決しようとする課題】
上記構成において、逆止弁６，９は、圧力槽１内の圧縮空気が空気槽２へ流入したり外部へ流出するのを防止するものであるが、その効果は十分ではなく、圧縮空気のもれはほとんどこれらの逆止弁６，９を通じて起こる。
【０００６】
本発明は上記問題を解決するもので、逆止弁の設置をできるだけ低減し、圧力槽からの圧縮空気のもれを防止することを目的とするものである。
【０００７】
【課題を解決するための手段】
上記問題を解決するために、本発明の自動給水装置は、上水および圧縮空気を貯留する圧力槽と、圧力槽外に配置された空気槽と、圧力槽と空気槽とに接続して設けられ、第１の開閉弁を介装した適当な大径の連通管と、空気槽の底部に接続して設けられ、第２の開閉弁を介装した排水管と、空気槽の上部に接続して設けられ、逆止弁を介装した吸気管と、前記第１の開閉弁および第２の開閉弁の開閉を制御する制御手段とを備え、前記連通管は、液相と気相とが背反する方向に流動可能な大きさの口径をなすように構成したものである。
【０００８】
【作用】
上記構成において、制御手段により第２の開閉弁を閉じるとともに第１の開閉弁を開くと、圧力槽内において圧縮空気により圧せられている上水が連通管を通じて空気槽へ注入され、これに伴い空気槽内の空気圧が上昇する。このとき、連通管は液相と気相とが背反する方向に流動可能な大きさの口径を有しているので、この連通管を通じて空気槽内の空気が圧力槽へ送り込まれる。このようにして１本の連通管によって圧力槽から空気槽への注水と空気槽から圧力槽への空気補給とが行なわれるので、従来のように圧力槽への空気補給のために別の配管を設ける必要はなく、空気もれの最大要因となる逆止弁の使用は回避される。
【０００９】
空気槽内の空気が上水により置換された後に、制御手段により第１の開閉弁を閉じるとともに第２の開閉弁を開くと、吸気管より装置外部の空気が吸入される状態において、空気槽内の上水が排水管を通じて排出される。排水が終了したら、制御手段により第２の開閉弁を閉じる。
【００１０】
【実施例】
以下、本発明の一実施例の自動給水装置を図１を参照しながら説明する。
図１において、１１は上水および圧縮空気を貯留する圧力槽であり、１２は圧力槽１１外に配置された空気槽である。圧力槽１１と空気槽１２とは、一端が圧力槽１１の下部に接続するとともに他端が空気槽１２の上部に接続する連通管１３により連通されており、連通管１３に介装して第１の電磁弁１４または電動ボール弁が設けられている。連通管１３はたとえば３２Ａ程度の適当な大径を有していて、連通管１３の内部を液相と気相とが背反する方向に流動可能とされている。空気槽１２には、槽底部に接続してたとえば１５Ａ程度の管径の排水管１５が設けられ、槽上部に接続してたとえば１５Ａ程度の管径の吸気管１６が設けられている。排水管１５には第２の電磁弁１７または電動ボール弁が介装されており、吸気管１６には逆止弁１８が介装されている。第１の電磁弁１４および第２の電磁弁１７は、電気的制御手段１９に接続されている。
【００１１】
以下、上記構成における作用を説明する。
制御手段１９により電磁弁１７を閉じるとともに電磁弁１４を開くと、圧力槽１１内において圧縮空気により圧せられている上水が連通管１３により空気槽１２へ注入され、これに伴い空気槽１２内の空気圧が上昇して、空気槽１２内の空気が圧力槽１１へ送り込まれる。このとき、連通管１３が上記したような適当な口径を有しているので、圧力槽１１内の上水が連通管１３を通じて空気槽１２へ注入されると同時に、空気槽１２内の空気が連通管１３を通じて圧力槽１１へ送り込まれる。
【００１２】
空気槽１２内の空気が上水により置換された後に、制御手段１９により電磁弁１４を閉じるとともに電磁弁１７を開くと、吸気管１６より空気が吸気されつつ、空気槽１２内の上水が排水管１５を通じて排出される。上水の排出が終了して空気槽１２内に空気が充満したら、制御手段１９により電磁弁１５を閉じる。
【００１３】
このようにして、従来のように圧力槽１１への空気補給のための別の配管を設けることなく、空気槽１２内の空気を圧力槽１１内の上水により置換して圧力槽１１へ送り込むことができるので、従来空気補給の配管に設けていた逆止弁も不要になり、空気もれの最大要因をなくすことができる。
【００１４】
【発明の効果】
以上のように本発明によれば、圧力槽と空気槽とに接続して適当な大径の連通管を設けるという簡略な構成により、圧力槽から空気槽への注水と空気槽から圧力槽への空気補給とを１本の連通管により同時に行うことができるので、従来のように圧力槽への空気補給のための別の配管を逆止弁を介装して設ける必要がなくなり、圧縮空気のもれの最大要因を回避できる。
【図面の簡単な説明】
【図１】本発明の一実施例の自動給水装置の概略構成を示した説明図である。
【図２】従来の自動給水装置の概略構成を示した説明図である。
【符号の説明】
１１    圧力槽
１２    空気槽
１３    連通管
１４    第１の電磁弁
１５    排水管
１６    吸気管
１７    第２の電磁弁
１８    逆止弁
１９    制御手段
【図１】
0003565598.tif 000002
【図２】
0003565598.tif 000003